(57)【特許請求の範囲】
【請求項１】
段差のある部分の段鼻部分が、特定の波長において大きな分光反射率ピークを示す分光反射特性を有するものからなり、この段鼻部分の周囲領域がそのような分光反射率ピークを有しない分光反射特性のものからなり、前記段鼻部分の分光反射特性の分光反射率ピークの波長と同じ波長において分光透過率ピークを示す分光透過特性のグラスを備えためがねが付属して備えられ、めがねをかけることにより、前記段鼻部分の視認性が、該段鼻部分の周囲領域との関係において、めがねをかけないときよりも、高められるようになされていることを特徴とする視覚機能を補うバリアフリーシステム。
【請求項２】
段差のある部分の段鼻部分が、特定の波長において大きな分光反射率ピークを示す分光反射特性を有するものからなり、この段鼻部分の周囲領域がそのような分光反射率ピークを有しない分光反射特性のものからなり、
第１の光環境を形成する自然光及び／又は第１の照明と、第１光環境とは異なる第２の光環境を形成する第２の照明とが備えられて、第１の光環境下において第２の照明を点灯したり消灯したりすることにより、光環境を第１の光環境にしたり第２の光環境にしたりすることができるようになされており（但し、第２の光環境において第１の照明は点灯しない）、
第２の光環境において、前記段鼻部分の視認性が、該段鼻部分の周囲領域との関係において、第１の光環境におけるときよりも、高められるようになされていることを特徴とする視覚機能を補うバリアフリーシステム。
【請求項３】
前記段鼻部分が階段の段鼻部分からなる請求項１又は２に記載の視覚機能を補うバリアフリーシステム。
【発明の詳細な説明】
【０００１】
【発明の属する技術分野】
本発明は、視覚機能を補うバリアフリーシステムに関する。
【０００２】
【従来の技術】
加齢変化によって白内障などをわずらった高齢者にとって、住宅内などにおいて、物の輪郭を自分の目ではっきりととらえることはかなり難しいことであり、例えば階段の段差などに気づかなかったりして、非常に危険な思いをすることがある。
【０００３】
そのため、階段などにおいては、従来より、足元を照らすようにフットライトを設置したり、段差を色や形で目立たせるデザインを採用することなどが行われている。
【０００４】
【発明が解決しようとする課題】
しかしながら、これらの手法は、視力の弱った高齢者などにとっては都合が良いものの、その他の健常な家族にとっては、それらの機器やデザインがかえって目ざわりであったりする場合もある。
【０００５】
本発明は、上記のような問題点に鑑み、視力の弱った高齢者などの視覚機能を補うことができ、それでいて健常者にとっては目ざわりでない、そのような、視覚機能を補うバリアフリーシステム等を提供することを課題とする。
【０００６】
【課題を解決するための手段】
上記の課題は、視覚機能を補う必要のある特定の部位が、特定の波長において大きな分光反射率ピークを示す分光反射特性を有するものからなり、そうでない部位がそのような分光反射率ピークを有しない分光反射特性のものからなることを特徴とする視覚機能を補うバリアフリーシステムによって解決される。
【０００７】
このシステムでは、分光反射率ピークを利用し、視覚機能を補う必要のある特定の部位の視認性を、その必要のない部位との関係において、選択的に高めたり、高めなかったりすることができる。従って、視力の弱った高齢者などの使用の場合のように視覚機能を補う必要があるときは、視覚機能を補う必要のある特定の部位の視認性を高めて視覚機能を補うようにすることができ、その一方で、健常者の使用の場合などのように視覚機能を補う必要のないときは、視覚機能を補う必要のある特定の部位の視認性を高めないようにすることで、その特定部位を健常者にとって目ざわりでないものにすることができる。
【０００８】
前記特定部位が段差のある部分の段鼻部分からなり、そうでない前記部位がこの段鼻部分の周囲領域からなる場合は、視力の弱った高齢者などは、その段鼻部分の視認性を選択的に高めた状態にすることによって、その段差を安全に行き来することができ、その一方で、健常者は、その段鼻部分の視認性を高めない状態にすることによって、その段差を目ざわりなく行き来することができる。
【０００９】
段鼻部分が階段の段鼻部分からなる場合は、視力の弱った高齢者などは、その段鼻部分の視認性を選択的に高めた状態にすることによって、その階段を安全に昇り降りすることができ、その一方で、健常者は、その段鼻部分の視認性を高めない状態にすることによって、その階段を目ざわりなく昇り降りすることができる。
【００１０】
前記特定部位の分光反射特性の分光反射率ピークの波長と同じ波長において分光透過率ピークを示す分光透過特性のめがねが付属して備えられているとよい。
【００１１】
その場合は、このめがねをかけることによって、視覚機能を補う必要のある特定の部位の視認性を、その必要のない部位との関係において、選択的に高めることができる。従って、視力の弱った高齢者などの使用の場合のように視覚機能を補う必要があるときは、そのような高齢者などは、そのめがねをかけることによって、視覚機能を補う必要のある特定の部位の視認性を高めて視覚機能を補うようにすることができ、その一方で、健常者の使用の場合などのように視覚機能を補う必要のないときは、健常者は、めがねをかけないことで、視覚機能を補う必要のある特定の部位の視認性を高めないようにすることにより、そのような特定部位を目ざわりでないものにすることができる。
【００１２】
第１の光環境を形成する自然光及び／又は第１の照明と、第１光環境とは異なる第２の光環境を形成する第２の照明とが備えられ、
第２の光環境において、視覚機能を補う必要のある前記特定部位の視認性が、そうでない部位との関係において、第１の光環境における場合よりも選択的に高まるようになされているのもよい。
【００１３】
この場合は、光環境を第２の光環境にすることによって、視覚機能を補う必要のある特定の部位の視認性を、その必要のない部位との関係において、選択的に高めることができる。従って、視力の弱った高齢者などの使用の場合のように視覚機能を補う必要があるときは、そのような高齢者などは、光環境を第２の光環境にすることによって、視覚機能を補う必要のある特定の部位の視認性を高めて視覚機能を補うようにすることができ、その一方で、健常者の使用の場合などのように視覚機能を補う必要のないときは、健常者は、光環境を第１の光環境にして視覚機能を補う必要のある特定の部位の視認性を高めないようにすることで、そのような特定部位を目ざわりでないものにすることができる。
【００１４】
また、上記の課題は、特定の波長において分光透過率ピークを示す分光透過特性を有することを特徴とするめがねや、特定の波長において大きな分光反射率ピークを示す分光反射特性を有することを特徴とする建材、あるいは、視覚機能を補う必要のある特定の部位が、特定の波長において大きな分光反射率ピークを示す分光反射特性を有するものからなり、そうでない部位がそのような分光反射率ピークを有しない分光反射特性のものからなることを特徴とする建材によって同様に解決される。
【００１５】
【発明の実施の形態】
次に、本発明の実施形態を図面に基づいて説明する。
【００１６】
図１（イ）に示す第１実施形態のシステムは、住宅等における階段１に適用した場合のもので、視覚機能を補う必要のある特定部位を階段１の段鼻部分２とし、そうでない部位を階段のそれ以外の部分、例えば段板の上面本体部分３や蹴込み部分４としている。そして、例えば、階段ノンスリップ材として、特定の波長において大きな分光反射率ピークを示す分光反射特性を備えた建材を用い、段板や蹴込み板として、そのような分光反射率ピークを有しない分光反射特性の建材を用いることなどで、本発明のシステムが形成されている。段鼻部分２の分光反射特性の一例を図２（イ）に示しており、その他の部分３，４の分光反射特性の一例を図２（ロ）に示している。５が分光反射率ピークである。本実施形態では、段鼻部分２もその他の部分３，４も、ヒトの視覚特性から肉眼では同じ色に見えるように設定されている。
【００１７】
そして、このシステムには、めがね６が備えられている。めがね６のグラスは、図２（ハ）に示すように、特定部位である段鼻部分２の分光反射特性の分光反射率ピーク５の波長と同じ波長において分光透過率ピーク７を示す分光透過特性を備えたものからなっている。従って、このめがね６を通して階段１を見ると、段鼻部分２の視認性が、その他の部分３，４との関係において、選択的に高まって見える。
【００１８】
上記のシステムでは、家族の中に白内障の高齢者がいる場合は、その高齢者にめがね６をかけさせることで、その高齢者は、段鼻部分２を目ではっきりととらえることができ、階段１を安全に昇り降りすることができる。その一方で、家族の中の健常な者については、めがね６をかけなければ、図１（ハ）に示すように、段鼻部分２が目立って目ざわりになることはなく、普通の階段としてこれを昇り降りすることができる。
【００１９】
図３に示す第２実施形態は、めがねに替えて照明を用いた場合のものである。
階段１そのものの構造は第１実施形態と同様である。このシステムでは、第１，第２の照明８，９が備えられており、自然光と第１の照明８とで、第１の光環境が形成され、第２の照明９で第２の光環境が形成されるようになっている。そして、図３（ハ）に示すように、第１の光環境では、段鼻部分２もその他の部分３，４も、ヒトの視覚特性から肉眼では同じ色に見えるように設定され、図３（ロ）に示すように、第２の光環境にすることによって、段鼻部分２の視認性が、その他の部分３，４との関係において、選択的に高まって見えるように設定されている。
【００２０】
従って、このシステムでは、家族の中の白内障の高齢者は、図３（ロ）に示すように、第２照明９を使って第２光環境を形成することで、段鼻部分２を目ではっきりととらえることができ、階段１を安全に昇り降りすることができる。その一方で、家族の中の健常な者については、図３（ハ）に示すように、第２照明９を使うことなく第１の光環境にすることで、段鼻部分２が目立って目ざわりになることはなく、普通の階段としてこれを昇り降りすることができる。
【００２１】
なお、第２実施形態では、種々の変更が可能である。例えば、第１の照明８と第２の照明９とに分ける必要は必ずしもなく、同じ照明を用いて、切替により、第１照明となったり第２照明となったりするものであってもよい。また、昼間しか使用されない施設などにおいては、自然光と第２照明とでシステムを構成するようにしてもよい。また、地下の建物など自然光の入らない建物などにおいては、照明のみで第１光環境を形成するシステムとしてもよい。
【００２２】
以上に、本発明の実施形態を示したが、本発明はこれに限られるものではなく、発明思想を逸脱しない範囲で各種の変更が可能である。例えば、上記のシステムでは、階段に適用した場合を示しているが、階段の限らず、段差のある部分や、その他、視覚機能を補う必要のある各所に用いられてよい。また、建材については、その建材の一部分が、特定の波長において大きな分光反射率ピークを示す分光反射特性を有するものからなり、その建材の他の部分がそのような分光反射率ピークを有しない分光反射特性のものからなるものであってよい。あるいは、上記の実施形態の場合のように、建材そのものが特定の波長において大きな分光反射率ピークを示す分光反射特性を有するものである場合は、この建材と他の建材との組合せで、視覚機能を補う必要のある特定の部位と、そうでない部位とが形成されていてもよい。
【００２３】
【発明の効果】
本発明は、以上のとおりのものであるから、視力の弱った高齢者などの視覚機能を補うことができ、それでいて健常者にとっては目ざわりでない。
【図面の簡単な説明】
【図１】第１実施形態のシステムを示すもので、図（イ）は階段の斜視図、図（ロ）はめがねをかけて見た場合の階段の斜視図、図（ハ）はめがねを外して見た場合の階段の斜視図である。
【図２】図（イ）は特定部位の分光反射特性を示すグラフ図、図（ロ）はその他の部位の分光反射特性を示すグラフ図、図（ハ）はめがねの分光透過特性を示すグラフ図である。
【図３】第２実施形態のシステムを示すもので、図（イ）は階段の斜視図、図（ロ）は第２光環境における階段の斜視図、図（ハ）は第１光環境における階段の斜視図である。
【符号の説明】
１…階段
２…段鼻部分（特定部位）
３…段板上面本体部分（その他の部位）
４…蹴込み部分（その他の部位）
５…分光反射率ピーク
６…めがね
７…分光透過率ピーク
８…第１の照明
９…第２の照明
【図１】
0004658300.tif 000002
【図２】
0004658300.tif 000003
【図３】
0004658300.tif 000004